(57)【要約】      （修正有）【課題】代謝機能の基準値を計算して求めるための計算式が容易に入力できる呼気ガス分析装置を提供する。【解決手段】呼気ガス分析装置は、流量とガス濃度から被験者が有する代謝機能を計算して求める代謝機能計算手段を有し、代謝機能の基準値を計算して求めるための計算式を使用者がキーボード及び数字キーを用いて自ら指定して入力できる計算式入力手段と、前記計算式を画面上に表示させる計算式表示手段と、前記計算式を複数記憶できる計算式記憶手段とを設けた。【選択図】図１
2015112272.tif 000002
【特許請求の範囲】
【請求項１】
被験者の呼吸気の流量を測定する呼吸流量測定手段と、
前記呼吸気の所定ガスのガス濃度を測定するガス濃度測定手段と、
前記流量と前記ガス濃度から
前記被験者が有する代謝機能を計算して求める代謝機能計算手段と、
を有する呼気ガス分析装置において、
代謝機能の基準値を計算して求めるための計算式を使用者がキーボード及び数字キーを用いて自ら指定して入力できる計算式入力手段と、
前記計算式を画面上に表示させる計算式表示手段と、
前記計算式を複数記憶できる計算式記憶手段と、
を設けたことを特徴とする呼気ガス分析装置。
【請求項２】
前記計算式を入力する際に必要な条件、関数、係数又は数値を画面上に配置されたボタンをクリックすることで簡単に入力することができる計算式簡易入力手段と、
前記計算式を必要に応じて切り換えることができる計算式切換手段と
を設けたことを特徴とする請求項１に記載の呼気ガス分析装置。
【請求項３】
前記計算式に関する必要な情報を前記計算式に係る数式とは別に前記計算式にリンクさせることができる計算式情報添付手段と、
を設けたことを特徴とする請求項１乃至２に記載の呼気ガス分析装置。
【請求項４】
前記計算式を切り換える際、前記計算式に事前にリンクさせた情報を表示させる計算式情報表示手段と、
を設けたことを特徴とする請求項１乃至３に記載の呼気ガス分析装置。
【請求項５】
前記計算式にリンクさせたい情報が一般公開された電子データである場合、前記電子データを前記呼気ガス分析装置に電子的媒体によってダウンロードし、前記電子データを前記計算式にリンクさせることができる電子データ添付手段と、
を設けたことを特徴とする請求項１乃至４に記載の呼気ガス分析装置。
【請求項６】
前記計算式情報表示手段と共に、前記計算式に事前にリンクさせた前記電子データを表示させる電子データ表示手段と、
を設けたことを特徴とする請求項１乃至５に記載の呼気ガス分析装置。
【請求項７】
前記計算式簡易入力手段において、前記電子データの記載に前記計算式に必要とする条件、関数、係数又は数値に係る情報の全て若しくは一部が記載されており、且つ前記情報がテキストデータ形式として抽出可能な情報である場合、前記電子データ表示手段上で前記情報の記載部分を指定した後、前記電子データ表示手段のテキストコピー機能によってテキストデータを抽出し、前記計算式簡易入力手段におけるテキストペースト機能によって前記情報を適切な入力部分に入力させることができる自動情報取込手段と、
を設けたことを特徴とする請求項１乃至６に記載の呼気ガス分析装置。
【発明の詳細な説明】
【技術分野】
【０００１】
本発明は、呼気ガス分析装置に関するものであり、特に、測定分析した呼吸気データから得られる代謝機能データと比較対照するための基準値を計算して求める計算式に関するものである。
【背景技術】
【０００２】
呼気ガス分析装置とは、呼吸気中の測定ガスのガス濃度又はガス量等を分析し、生体機能の評価又は各種疾患の診断、治療効果の評価等に用いるものである。
呼気ガス分析のカテゴリーには、呼吸代謝機能測定、ピロリ菌検査等、様々なものが含まれるが、ここでは呼吸代謝機能測定について説明する。
【０００３】
従来の呼吸代謝機能測定装置のブロック図を図の例を図３に示す。図３の２１は呼吸気流量を測定する呼吸気流量計、２２は呼吸気のガス濃度を測定するガス濃度計、２３は呼吸気流量計２１及びガス濃度計２２で得たデータから呼吸代謝指標を求めるデータ処理部、２４はデータ処理部の出力を表示する表示部である。
【０００４】
実際の呼吸代謝測定の様子を図４に示す。測定では鼻及び口をカバーするマスク２６を用い、マスク２６には呼吸流量計２１を接続して、全ての呼吸気を測定する。また、呼吸流量計２１を通過する呼吸気流量の一部をガス濃度計２２に導入して、呼吸気のガス分析を行う。測定対象ガスは、通常は酸素ガス及び炭酸ガスである。図４の２７は呼吸流量計２１を通過する呼吸気流量の一部をガス濃度計２２に導入するサンプリングチューブであり、２８は呼吸代謝機能測定装置の本体である。
【０００５】
この本体の中にはデータ処理部２３と出力表示部２４が内蔵されており、呼吸流量計２１で測定して得られた呼吸気流量、及びサンプリングチューブから導入された酸素ガスと炭酸ガスをガス濃度計２２で測定して得られた濃度から、呼吸気の流量とガス分析を行って酸素摂取量や炭酸ガス排泄量などの呼吸代謝データを得ることができる。
【０００６】
具体的な呼吸代謝データとして、１回の呼吸時の換気量（１回呼気換気量、１回吸気換気量）、１分間あたりの換気量（分時呼気換気量、分時吸気換気量）、呼吸数、分時酸素摂取量、分時炭酸ガス排泄量、ガス交換比、その他数十項目が利用されており、これらのデータは呼吸気疾患の診断に広く用いられている（特許文献１参照）。
【０００７】
一方、呼吸代謝データは、呼吸気疾患の診断に使用されるだけでなく、心臓疾患やその他のリハビリテーションに関連する運動処方や、栄養管理分野の栄養所要量を求めるのにも使用される。かかる場合は、呼吸代謝データそのものを使用するのではなく、当該データから更に処理分析し評価に必要なパラメータを求めた上で評価する。
【０００８】
ここで、運動処方では、簡便な方法として心拍数や血圧等を指標とすることも可能であるが、心臓疾患や呼吸気疾患のリハビリテーション等、特に重度の患者で正確な運動処方が必要な場合は、呼吸代謝データを使用することが推奨されている。
【０００９】
また、運動処方では、被検者に漸増運動負荷をかけ、そのときの呼吸気量と呼吸気ガス分析をおこない、得られたデータからＡＴ（Ａｎａｅｒｏｂｉｃ  Ｔｈｒｅｓｈｏｌｄ）ポイントという指標を求めて、これを基に処方をおこなう。ここで、ＡＴポイントとは、運動強度が増加していく過程で有酸素代謝に無酸素代謝が加わり乳酸産生が増加するポイントと言われている。
【００１０】
ＡＴポイントの決定法にはいくつかの方法が提唱されているが、一般には、以下の条件を満たす点とされる。
１．Ｒの運動強度に対する上昇点
Ｒ：ガス交換比。単位時間当たりの炭酸ガス排泄量と酸素摂取量の比。
２．ＶＣＯ２のＶＯ２に対する上昇点
ＶＣＯ２：炭酸ガス排泄量
ＶＯ２：酸素摂取量
３．ＶＥ／ＶＣＯ２が増加せずにＶＥ／ＶＯ２が増加する点
ＶＥ：分時呼気換気量
４．ＰＥＴＣＯ２が変化せずにＰＥＴＯ２が増加する点
ＰＥＴＣＯ２：呼気終末炭酸ガス分圧
ＰＥＴＯ２：呼気終末酸素ガス分圧
５．ＶＥのＶＯ２に対する上昇点
このため、各種呼吸代謝データとともに、これらのデータを画面に表示し、ＡＴポイントを決定している。
【００１１】
ＡＴポイントを基準にした運動は、心臓に対し、過負荷をかけずに持続した運動が可能であり、心臓等のリハビリテーションを行う際に最も安全で有効とされている。
平成１９年の人口動態統計では、心臓病全体で約１８万人が亡くなっており、そのうち虚血性心疾患が死因である場合は、約半分の約７．５万人とのことである。虚血性心疾患の治療では、内科的な治療の「薬物治療」、「心臓カテーテル治療（経皮的冠動脈形成術：PCI）」そして外科的な「冠動脈バイパス術」の3つに分けられ、患者が外科的な治療を受けた場合、術後の運動処方によるリハビリテーションは欠かせない。
こういったケースでは、十分な安全を確保するために、ＡＴポイントを基準にした運動は非常に有効である。
【００１２】
このＡＴポイントを評価して決めるためには、様々な方法があるが、このうちＡＴポイント決定法の例をいくつか下記に紹介する。
図５（ｂ）は、安静、ウォーミングアップを経て運動負荷量を定比率で増加させたときの各種指標の変化を示す例である（非特許文献２参照）。この図から、前述したＡＴポイントの条件を満たす点を見出して、ＡＴポイントを決定する。
図６（ｂ）は、前述したＡＴポイントの条件のうち、ＶＣＯ２とＶＯ２のグラフ（Ｖ−Ｓｌｏｐｅ曲線という）を表している。ＶＣＯ２のＶＯ２に対する上昇点、つまり、ＶＯ２の増加に対してＶＣＯ２の増加が急激に増加する点（図６（ｂ）の点Ｃ）がＡＴポイントとなる。これを求める具体的な方法として、Ｃ点の左右で解析区間を設定し、回帰直線を求め、その交点がＡＴポイントとする方法が用いられている。このようなＡＴポイント決定法をＶ−Ｓｌｏｐｅ法と呼ぶ。
【００１３】
実際にＡＴポイントを決定するに際して、健常者であれば、図６（ｂ）のＶ−Ｓｌｏｐｅ曲線のみでもＡＴポイントを決定することはできるが、前述した心疾患者の場合は、図６（ｂ）だけでは決定できず、図５（ｂ）のタイムトレンドグラフとも相互に見比べ決定する場合も多い。
【００１４】
また、ＡＴポイントとは別に、呼吸代謝の重要な指標にＲＣポイントというものもある。ＲＣポイントとは、呼吸性代償開始点のことであり、運動強度がこの点を越えると乳酸に対する緩衝が不十分となり、呼吸性代償が始まる。この点以降は、動脈血のｐＨが急速に低下を始める。ＡＴ同様、運動負荷試験により呼気ガスの時系列データから変曲点を見つけ、ＲＣポイントとする。
ここで詳細な記載は省略するが、ＲＣポイントも、その決定する解析手法・手順等はＡＴポイントの解析方法と同様な方法を用いており、ＶＥ／ＶＣＯ２スロープ法と呼ばれている。
【００１５】
これらＡＴポイント等を決定するには、このように多数の複雑なデータを同時に取り扱う必要があり、ＡＴポイントを例にとると、図６（ｂ）を見てＡＴポイントらしい点に注目し、その前後に適切な解析範囲を指定して当該範囲に回帰直線を引き、得られた２本の回帰直線の交点をＡＴポイントと決定する。ただし、心疾患患者等、健常者でない場合は、ＡＴポイントが明確にできない場合がある。このような場合、医師又は専門家(以下、医師等とする。)が図の解析画面を見て、他のパラメータを参酌しながら妥当なＡＴポイントが導き出せるように解析範囲を設定する。
【００１６】
この時、医師等が、これら複雑なデータから被験者の能力を評価するにあたって、代謝機能の基準値を指標とし、この値を参酌しながらＡＴポイントを決定する場合もある。
図５（ａ）の表示画面６１は、タイムトレンドグラフ、ＰｅａｋＶＯ２基準値６３及びＡＴ基準値６４を同時に表示させた一例であり、このような画面を用いて、又は当該グラフを含む解析結果をプリントアウトしたレポートを用いてＡＴポイントを決定する。
これら基準値は、各研究者の公表されたデータに基づいたものであるが、計算式として公表されたものもあれば、単にグラフ、表のみを用いて公表されたものもある。図８は、公表されたデータの一例である。単なるグラフ、表のみであれば、そのデータに基づき計算式を自ら作り上げる場合もある。
【００１７】
また、公表されたデータは各研究者の主観によるところも多く、その基準値は一律に決められているものではなく、各医師等によって前述の解析手法が異なり、公表されたものが妥当なものと医師等が判断したものが採用される。このため、呼吸代謝機能測定装置にはその希望に沿う機能として、医師等が所望する計算式に切り換える機能を備えているのが一般的である。
図７は、その機能の一例であり、従来の呼気ガス分析装置の計算式設定画面を示している。ここで、計算式を切り換える際には図８の文献等を参考とし計算式を設定するのが一般的である。
【００１８】
さらに、図８に示すような公表されたデータはその時点で最良と判断したデータを公表したものであるため、研究者のその後の日々の膨大な研究データから得られたものが、さらに最良と判断された場合は、公表された当該データは差し替えられ、それに応じて計算式も変更されることになる。
【００１９】
したがって、かかるように計算式が公表された場合、呼吸代謝機能測定装置に元々備えられた計算式は、医師等の希望に応じて最新の計算式に変更する必要が発生し、装置のメンテナンス作業員が計算式を変更するまでは、ＡＴポイントを基準にした運動療法に最新の計算式が活かされず、患者の術後の運動処方によるリハビリテーションに十分な安全性又は治療効果が保てなかったり、又は医師等の医療業務、医療研究が停滞するという問題が発生していた。
【先行技術文献】
【特許文献】
【００２０】
【特許文献１】特公昭６３−０２３７７８号公報
【非特許文献２】谷口興一、伊藤春樹編：心肺運動負荷テストと運動療法．１０６〜１１０、南江堂、２００４年
【発明の概要】
【発明が解決しようとする課題】
【００２１】
呼吸代謝機能測定装置に元々備えられた代謝機能の基準値を計算して求めるための計算式は、医師等の希望に応じて最新の計算式に変更する必要性が発生し、かかる場合、機器のメンテナンス作業員が計算式を変更するまでは、ＡＴポイントを基準にした運動療法に最新の計算式が活かされず、患者の術後の運動処方によるリハビリテーションに十分な安全性又は治療効果が保てなかったり、又は医師等の医療業務、医療研究が停滞するという問題が発生していた。また、医師等が計算式を変更する機能を設けたとしても、所望する設定に間違いなく設定できているか、その後の測定画面上では確認する手段がない。
【００２２】
そこで、本発明の目的は、上記の課題を解決することであり、取扱方法を詳細に理解せずとも容易に計算式が入力できる呼気ガス分析装置を提供することである。
【課題を解決するための手段】
【００２３】
請求項１に記載の発明は、
被験者の呼吸気の流量を測定する呼吸流量測定手段と、
前記呼吸気の所定ガスのガス濃度を測定するガス濃度測定手段と、
前記流量と前記ガス濃度から
前記被験者が有する代謝機能を計算して求める代謝機能計算手段と、
を有する呼気ガス分析装置において、
代謝機能の基準値を計算して求めるための計算式を使用者がキーボード及び数字キーを用いて自ら指定して入力できる計算式入力手段と、
前記計算式を画面上に表示させる計算式表示手段と、
前記計算式を複数記憶できる計算式記憶手段と、
を設けたことを主な特徴とする。
【００２４】
請求億２に記載の発明は、請求項１に記載の呼気ガス分析装置が、
前記計算式を入力する際に必要な条件、関数、係数又は数値を画面上に配置されたボタンをクリックすることで簡単に入力することができる計算式簡易入力手段と、
前記計算式を必要に応じて切り換えることができる計算式切換手段と
を設けたことを主な特徴とする。
【００２５】
請求項３に記載の発明は、請求項１乃至２に記載の呼気ガス分析装置が、
前記計算式に関する必要な情報を前記計算式に係る数式とは別に前記計算式にリンクさせることができる計算式情報添付手段と、
を設けたことを主な特徴とする。
【００２６】
請求項４に記載の発明は、請求項１乃至３に記載の呼気ガス分析装置が、
前記計算式を切り換える際、前記計算式に事前にリンクさせた情報を表示させる計算式情報表示手段と、
を設けたことを主な特徴とする。
【００２７】
請求項５に記載の発明は、請求項１乃至４に記載の呼気ガス分析装置が、
前記計算式にリンクさせたい情報が一般公開された電子データである場合、前記電子データを前記呼気ガス分析装置に電子的媒体によってダウンロードし、前記電子データを前記計算式にリンクさせることができる電子データ添付手段と、
を設けたことを主な特徴とする。
【００２８】
請求項６に記載の発明は、請求項１乃至５に記載の呼気ガス分析装置が、
前記計算式情報表示手段と共に、前記計算式に事前にリンクさせた前記電子データを表示させる電子データ表示手段と、
を設けたことを主な特徴とする。
【００２９】
請求項７に記載の発明は、請求項１乃至６に記載の呼気ガス分析装置が、
前記計算式簡易入力手段において、前記電子データの記載に前記計算式に必要とする条件、関数、係数又は数値に係る情報の全て若しくは一部が記載されており、且つ前記情報がテキストデータ形式として抽出可能な情報である場合、前記電子データ表示手段上で前記情報の記載部分を指定した後、前記電子データ表示手段のテキストコピー機能によってテキストデータを抽出し、前記計算式簡易入力手段におけるテキストペースト機能によって前記情報を適切な入力部分に入力させることができる自動情報取込手段と、
を設けたことを主な特徴とする。
【発明の効果】
【００３０】
本発明によれば、呼気ガス分析装置に搭載された計算式を当該装置の取り扱いに詳しくなくとも容易に計算式を変更することが可能となることで、ＡＴポイントを基準にした運動療法に迅速に最新の計算式が活かされることとなり、患者の術後の運動処方によるリハビリテーションに十分な安全性又は治療効果が保てるようになると共に医師等の医療業務、医療研究も停滞せず行うことができるようになる。
また、医師等が個人的に作成した計算式も利用し易くなり、さらに測定中であっても設定されている当該計算式を随時確認する事が可能となることで測定評価作業に係る煩わしさを減らすことができ、医療研究の活性化を図ることができるようになる。
【図面の簡単な説明】
【００３１】
【図１】本発明による呼気ガス分析装置の基準値入力設定画面の一実施例である。
【図２】本発明による呼気ガス分析装置の初期設定画面の一実施例（ａ）、計算式切換設定画面の一実施例（ｂ）及び計算式記憶設定画面の一実施例（ｃ）である。
【図３】従来の呼吸代謝機能測定装置のブロック図である。
【図４】従来の呼吸代謝機能測定装置の使用時の様子を示す外観図である。
【図５】本発明によるＡＴポイント解析のための呼吸代謝データのタイムトレンドグラフの一実施例（ａ）及びタイムトレンドグラフの概略図（ｂ）である。
【図６】本発明によるＶＣＯ２とＶＯ２のグラフ（Ｖ−Ｓｌｏｐｅ曲線）の一実施例（ａ）及びＶ−Ｓｌｏｐｅグラフの概略図（ｂ）である。
【図７】従来の呼気ガス分析装置の計算式設定画面の一例である。
【図８】図７の計算式を切り換える際に参考とする文献の一例である。
【発明を実施するための形態】
【００３２】
以下、本発明を実施するための形態について図面を参照して説明する。
【実施例１】
【００３３】
図１は、本発明の請求項１乃至７に係る呼気ガス分析装置の基準値入力設定画面の一実施例である。
図２は、本発明の図１に示す基準値入力設定画面に至るまでの一連の各設定画面の一実施例である。図２（ａ）は初期設定画面であり請求項４の実施例を含み、図２（ｂ）は計算式切換設定画面であり請求項２の実施例を含み、図２（ｃ）は計算式記憶設定画面であり請求項１、４及び６の実施例を含んでいる。
図３及び図４は、従来の呼吸代謝機能測定装置の使用時の様子を示すブロック図、外観図であり、呼吸代謝機能測定装置本体に係る作動状態はこれらの図を用いて前述した。
図５は、本発明によるＡＴポイント解析のための呼吸代謝データのタイムトレンドグラフの一実施例及びグラフの概略図であり、請求項６の実施例を含んでいる。
図６は、本発明によるＶＣＯ２とＶＯ２のグラフ（Ｖ−Ｓｌｏｐｅ曲線）の一実施例及びグラフの概略図であり請求項４及び６の実施例を含んでいる。
図７は、従来の呼気ガス分析装置の計算式設定画面の一例であり、計算式を切り換える際には図８の文献等を参考とし計算式を設定する。
【００３４】
以下、本発明に係る呼気ガス分析装置について説明するが、従来の装置と重複する箇所があるため、まず従来の装置の説明をした上で本発明の説明を行うこととする。
【００３５】
従来の呼気ガス分析装置では、測定する上で最初に計算式を設定する際は、まず図７の計算式設定画面を含む初期設定画面で、多数の設定を決定して正常に作動しているかどうか確認した上で実際の測定を始める。多くの場合は、当該装置の納品時と同時に行われることが殆どであり、メンテナンス作業員及び販売員が付き添った状態で納品することが一般的である。かかる場合、医師等が所望する初期設定等の要望はその場で即座に叶えることが可能である。
【００３６】
しかし、一旦、販売員等の手を離れてしまうと医師等の要望に即座に叶えることは困難であり、また、医師等が図７の計算式設定画面と図８の文献を見比べて所望する設定に間違いなく設定できているかもその後の測定画面上では確認する手段がなく、間違ったまま測定してしまう恐れもある。
【００３７】
よって、医師等が所望する最新の計算式に変更する必要が発生した場合、装置のメンテナンス作業員が計算式を変更するまでは、ＡＴポイントを基準にした運動療法に最新の計算式が活かされず、患者の術後の運動処方によるリハビリテーションに十分な安全性又は治療効果が保てなかったり、又は医師等の医療業務、医療研究が停滞するという問題が発生している。
また、医師等が計算式を変更する機能を設けたとしても、所望する設定に間違いなく設定できているか、その後の測定画面上では確認する手段がない。
【００３８】
本発明では、上記問題点の改良をすることで当該問題を解決できる機能を備えた呼気ガス分析装置を発明した。
【００３９】
以下、本発明の請求項１乃至２に係る呼気ガス分析装置について説明する。
本発明に係る呼気ガス分析装置は、本体の構成としては図３に示すブロック図及び図４の外観図に示すとおりである。各部の作動状態は前述した背景技術で説明したとおりである。ここで、本発明の特徴は、図３における表示部２４及びデータ処理部２３に係るものである。
データ処理部２３は、流量計２１及びガス流量計２２を接続する各ガス分析機能を有するデータ処理部Ａと、表示部２４を接続する各種データ結果を評価解析するデータ処理部Ｂとで構成される。なお、データ処理部Ａ及びデータ処理部Ｂは何れも操作部も有しており、各種設定する値や入力操作はこの操作部を通じて行う。
データ処理部Ａは特別な専用本体を有し、データ処理部Ｂは一般的に用いられるパーソナルコンピュータの本体を用いる。使用に際しては、当該コンピュータに専用の特別なプログラムソフトをインストールすることでデータ処理部Ｂとして使用する。
また、表示部２４は一般的に用いられているディスプレイで足りる。
呼気ガス分析装置を最初に起動させると、図３のデータ処理部２３に初期設定として記憶されている初期設定画面が表示部２４に表示される。図２（ａ）はその表示画面の一例である。データ処理部２３と表示部２４は常にデータの送受信を行っており、表示部２４には、随時データ処理部２３から送信された情報が表示される。
なお、最初に初期設定を済ませれば、それ以降は毎回設定する必要はないため、図２（ａ）の表示画面を次回以降は表示させず、図５（ａ）又は図６（ａ）のグラフ等を最初から表示させるように設定することもできる。
また、図２（ａ）の初期設定画面４３はいつでも画面を表示させて操作が可能なように、何れの表示画面からであっても画面上に表示されたボタンをクリックすれば初期設定画面４３を開くことができるようにしておくことが好ましい。
【００４０】
まず、図２（ａ）について説明する。
図２（ａ）の初期設定画面４３には数種類の設定項目があるが、本発明に係る設定項目は、基準値の計算式に関するものであるため、基準値と関係のない設定項目の説明はここでは省略する。基準値に関する設定項目は、初期設定画面４３の切換タブ中の切換タブ４４をクリックすることで切り換わる。初期設定画面４３は、切換タブ４４をクリックした後の表示画面を示している。ここで、基準値の計算式について何らかの操作をしたい場合は、変更ボタン４５をクリックする。すると、図２（ｂ）の計算式切換設定画面が表示される。
【００４１】
次に、図２（ｂ）について説明する。
図２（ｂ）の計算式切換設定画面３１は、従来の図７の表示画面に相当する画面である。図２（ｂ）の計算式設定チェックボックスは、従来の図７の計算式切換チェックボックス８２に相当する。従来は、計算式を編集等する機能は無いため、最新の計算式を入力する際には、前述したメンテナンス作業員が計算式を変更する作業、つまり当該プログラム自体のバージョンアップが必要となっていた。
ここで、本発明の請求項２に係る計算式切換設定機能として、作成した計算式を選択し切り換えができるように計算式選択ボックス３３を設けた。この機能により、自ら作成した計算式をこれまで使用していた計算式と同様に切り換えて使用することができる。
設定した内容は、決定ボタン３５をクリックすることでデータ処理部２３に記憶される。なお、計算式選択ボックス３３に表示される計算式を操作し設定する場合は、設定ボタン３４をクリックする。すると図２（ｃ）の計算式記憶設定画面４１が表示される。
【００４２】
次に、図２（ｃ）について説明する。
図２（ｃ）の計算式記憶設定画面４１は、自ら作成した計算式を追加、削除、編集する機能を有する画面である。
請求項１の計算式表示手段に係る計算式表示欄３７に表示された計算式を元に、計算式選択ボタン３８で計算式を選択し、計算式設定ボタン３９で削除、追加、編集を行う。
設定した内容は、決定ボタン４１をクリックすることでデータ処理部２３に記憶される。
計算式設定ボタン３９において、既に記憶され登録された計算式を選択した上で、削除ボタンをクリックすると当該計算式が削除され、同様に編集ボタンをクリックすると図１の計算式入力設定画面１１が表示される。また、追加ボタンをクリックすると新たな空白の計算式が計算式表示欄３７に表示され図１の計算式入力設定画面１１が表示される。
【００４３】
次に、図１について説明する。
図１の計算式入力設定画面１１は、計算式自体を新規追加又は既存の登録済みの計算式自体を修正変更する場合に使用する。なお、図１は、本発明の請求項１乃至７に係る主要な機能を有する表示画面である。
計算式は、計算式入力欄１２に入力することで行う。計算式には性別による区別が設けられているため、当該画面１１では事前に男性、女性の２通りの計算式入力欄を設けている。
この欄に計算式を入力する際は、請求項１の計算式入力手段に係るデータ処理部２３の操作部より直接入力することもできるが、既定項目は、請求項２の計算式簡易入力手段に係る計算項目入力ボタン１３を用いて簡単に入力することもできる。当該画面１１では、既定項目に、年齢、身長、体重、ＢＳＡのボタンを設けているが、このボタンに限るわけではなく、必要に応じてボタンを増やしても良い。
計算項目入力ボタン１３を押すと計算式入力欄１２に所望する既定項目が入力され、あとは通常の数字を入れるだけで、計算式を完成させることができる。
また、計算式が年齢により区別する場合は、計算項目設定ボックス１６により、年齢に応じた計算式を作成し登録することができる。
【００４４】
また、図には記載していないが、計算式の複数の項目を組み合わせたものを計算項目入力ボタン１３に事前に登録しておき、計算式を作成する際にさらに項目を組み合わせて計算式を作成することも可能である。なお、計算項目入力ボタン１３には項目だけでなく数字又は数式自体を登録することも可能である。
また、計算項目設定ボックス１６も年齢に限定しているわけではなく、体重等別の計算項目を設定することもできる。
設定した内容は、決定ボタン１７をクリックすることでデータ処理部２３に記憶される。
【００４５】
以上の機能により、呼気ガス分析装置に搭載された計算式を当該装置の取り扱いに詳しくなくとも容易に計算式を変更することが可能となり、ＡＴポイントを基準にした運動療法に迅速に最新の計算式が活かされることとなり、患者の術後の運動処方によるリハビリテーションに十分な安全性又は治療効果が保てるようになると共に医師等の医療業務、医療研究も停滞せず行うことができるようになる。また、医師等が個人的に作成した計算式も利用し易くなる。
【００４６】
以下、本発明の請求項３及び４について説明する。
図１の計算式入力設定画面１１において、計算式情報表示設定欄５１及び、計算式情報添付欄１４がこれに該当する。
計算式情報添付欄１４は、計算式に関わるコメント等の文字情報を添付する機能を有する欄であり、データ処理部２３の操作部により文字を入力することにより、計算式の名称や参照した文献名称等の情報を登録した計算式に添付することができる。
設定した内容は、決定ボタン１７をクリックすることでデータ処理部２３に記憶される。
【００４７】
図１の計算式情報表示設定欄５１は、登録された計算式情報をどの表示画面に表示させるかを設定する機能を有する。設定は、計算式情報表示設定チェックボックス５２にチェックを入れることで行い、決定ボタン１７をクリックすることでデータ処理部２３に記憶される。
設定されると、チェックした設定内容に応じて登録したコメントが各表示画面に表示される。図２（ａ）の計算式情報表示欄４６、図２（ｃ）の計算式情報表示欄３６、又は図６（ａ）の計算式情報表示欄７３がその一例である。
以上の機能により、医師等が個人的に作成した計算式も利用し易くなり、さらに測定中であっても設定されている当該計算式を随時確認する事が可能となることで測定評価作業に係る煩わしさを減らすことができ、医療研究の活性化を図ることができるようになる。
【００４８】
以下、本発明の請求項５及び６について説明する。
この機能を利用するためには、文献自体を電子データとして事前にデータ処理部２３に記憶しておく必要がある。データ処理部２３に当該電子データが存在する状態で、図１の電子データ添付欄１５にデータ処理部２３の当該電子データが存在する場所を指定する。これにより、前述したコメントによる文献名称だけでなく、計算式に実際の文献自体を添付することができる。この情報は、同様に決定ボタン１７をクリックすることでデータ処理部２３に記憶される。
図１の計算式情報表示設定欄５１の機能は前述と同じである。
設定されると、設定した文献が各表示画面に表示される。図１の電子データ表示画面１９、図２（ｃ）の電子データ表示画面４０、図５（ａ）の電子データ表示画面６２、又は図６（ａ）の電子データ表示画面７２がその一例である。
以上の機能により、医師等が個人的に作成した計算式も利用し易くなり、さらに測定中であっても設定されている当該計算式を随時確認する事が可能となることで測定評価作業に係る煩わしさを減らすことができ、医療研究の活性化を図ることができるようになる。
【００４９】
以下、本発明の請求項７について説明する。
この機能を利用するためには、文献自体をテキストデータ形式の電子データとして事前にデータ処理部２３に記憶しておく必要があるが、前述した電子データ添付欄１５に登録する必要は特にない。データ処理部２３に当該電子データが存在する状態で、電子データを読める状態にし、当該テキストデータ内の必要とする文字を操作部により指定する。
その状態で、計算式情報自動取込ボタン１８をクリックすると当該テキストデータ内の文字が計算式入力欄に入力される。
そして、設定した内容は、決定ボタン１７をクリックすることでデータ処理部２３に記憶される。
以上の機能により、呼気ガス分析装置に搭載された計算式を当該装置の取り扱いに詳しくなくとも容易に計算式を変更することが可能となることで、ＡＴポイントを基準にした運動療法に迅速に最新の計算式が活かされることとなり、患者の術後の運動処方によるリハビリテーションに十分な安全性又は治療効果が保てるようになると共に医師等の医療業務、医療研究も停滞せず行うことができるようになる。
また、医師等が個人的に作成した計算式も利用し易くなる。
【符号の説明】
【００５０】
１１  計算式入力設定画面
１２  計算式入力欄
１３  計算項目入力ボタン
１４  計算式情報添付欄
１５  電子データ添付欄
１６  計算項目設定ボックス
１７  決定ボタン
１８  計算式情報自動取込ボタン
１９  電子データ表示画面
２１  流量計
２２  ガス流量計
２３  データ処理部
２４  表示部
２６  マスク
２７  サンプリングチューブ
２８  呼気ガス分析装置本体
３１  計算式切換設定画面
３２  計算式設定チェックボックス
３３  計算式選択ボックス
３４  設定ボタン
３５  決定ボタン
３６  計算式情報表示欄
３７  計算式表示欄
３８  計算式選択ボタン
３９  計算式設定ボタン
４０  電子データ表示画面
４１  計算式記憶設定画面
４２  決定ボタン
４３  初期設定画面
４４  切換タブ
４５  変更ボタン
４６  計算式情報表示欄
５１  計算式情報表示設定欄
５２  計算式情報表示設定チェックボックス
６１  タイムトレンドグラフ表示画面
６２  電子データ表示画面
６３  ＰｅａｋＶＯ２基準値
６４  ＡＴ基準値
７１  Ｖ−Ｓｌｏｐｅ曲線
７２  電子データ表示画面
７３  計算式情報表示画面
８２  計算式切換チェックボックス
８３  決定ボタン
【図１】
2015112272.tif 000003
【図２】
2015112272.tif 000004
【図３】
2015112272.tif 000005
【図４】
2015112272.tif 000006
【図５】
2015112272.tif 000007
【図６】
2015112272.tif 000008
【図７】
2015112272.tif 000009
【図８】
2015112272.tif 000010